(57)【特許請求の範囲】
【請求項１】
建物（Ｂ）の交差する二つの外壁（５，５）における入隅部（１）に形成される目地（２）に，シーリング材（３）を内側から支持するために挿入されるシーリングバックアップ材（１０）を配置した目地構造であって、前記シーリング材を受ける幅広の頭部（１１）の中心部から幅狭な胴部（１２）を垂下設し、前記胴部の略中間高さ部分から左右に腕部（１３，１３）を横設し、各腕部のほぼ中間部分から、真下方向に延びる垂直部（１４ａ）と該垂直部の下端から胴部の下端部に向かって斜めに傾斜した傾斜部（１４ｂ）とで形成したところの連結片（１４）によって中空シール部（１５）を形成し且つ幅狭な胴部の下端部（Ｑ）付近から左右斜め上方に傾斜させた前記傾斜部を略矢印状に形成し、中空シール部を，交差する二つの下地材（４，４）の間に弾性変形させて進入させて二つの下地材角部に弾接させ、前記腕部の先端部を前記二つの下地材内面に弾接させると共に，連結片の左右に横設した足部（１６，１６）を二つの下地材側面に弾接させてなるシーリングバックアップ材を配置した目地構造。
【請求項２】
建物（Ｂ）の交差する二つの外壁（５，５）における入隅部（１）に形成される目地（２）に，シーリング材（３）を内側から支持するために挿入されるシーリングバックアップ材（１０）を配置した目地構造であって、前記シーリング材を受ける幅広の頭部（１１）の略左右端部のそれぞれから幅狭な胴部（１２，１２）を垂下設し、前記二つの胴部の略中間高さ部分に左右に腕部（１３，１３）を横設すると共に左右の腕部間に副連結部（１７）を架設し、前記二つの胴部（１２，１２）の下端部同士を主連結部（１８）で架設すると共に，前記二つの胴部と主連結部（１８）とで中空シール部（１５）を形成し、且つ中空シール部（１５）の中央下端部を最下点部（Ｐ）として左右側を斜め上方に傾斜させ略矢印状に形成し、前記中空シール部を交差する二つの下地材（４，４）の間に弾性変形させて進入させ二つの下地材角部に弾接させ、前記腕部の先端部を前記二つの下地材内面に弾接させて而も主連結部の左右に連続させて横設した足部（１６，１６）を二つの下地材側面に弾接させてなるシーリングバックアップ材を配置した目地構造。
【発明の詳細な説明】
【技術分野】
【０００１】
本発明は、建物の外壁における入隅部の目地の、シーリング材を内側から支持するためのバックアップ材を配置した目地構造に関するものである。
【背景技術】
【０００２】
図１乃至図３を参照して説明する。従来、住宅などの建物Ｂの外壁５における入隅部１の目地２には、シーリング材３を内側から支持するために、例えば、発泡ポリエチレン等の断面矩形状のシーリングバックアップ材２０が挿入配置された目地構造になっている。なお、４は下地材、４ａは下地材の側面、４ｂは下地材の角部、４ｃは下地材の内面である。
【発明の開示】
【発明が解決しようとする課題】
【０００３】
しかし、こうした従来のシーリングバックアップ材２０は十分なシール機能がないため、経年劣化によってシーリング材３のシール機能が低下した際、その部分が漏水して建物Ｂ内に雨水等が侵入してしまうという問題が発生する。
【０００４】
また、従来のシーリングバックアップ材２０は十分な柔軟性と弾力性を持たないため、あらゆる巾の目地２に対応するために、複数種のものを準備しておく必要があり、生産性の点においても問題がある。また、同一の目地において、その目地巾にバラツキが生じた場合に、それに対応することができないといった問題もある。
【０００５】
本発明はこうした問題を解決するために創案されたもので、建物外壁の入隅部の目地に、シーリング材を内側から支持するために挿入されるシーリングバックアップ材を備えた目地構造において、十分な二次止水機能を発揮し、生産性にも優れ、かつ、目地巾のバラツキにも正確に対応できる目地構造を提供することを課題とする。
【課題を解決するための手段】
【０００６】
図１，図４及び図５を参照して説明する。請求項１に記載の発明は、建物Ｂの交差する二つの外壁５，５における入隅部１に形成される目地２に，シーリング材３を内側から支持するために挿入されるシーリングバックアップ材１０を配置した目地構造であって、前記シーリング材３を受ける幅広の頭部１１の中心部から幅狭な胴部１２を垂下設し、前記胴部１２の略中間高さ部分から左右に腕部１３，１３を横設し、各腕部１３，１３のほぼ中間部分から、真下方向に延びる垂直部１４ａと該垂直部１４ａの下端から胴部１２の下端部に向かって斜めに傾斜した傾斜部１４ｂとで形成したところの連結片１４によって中空シール部１５を形成し且つ幅狭な胴部１２の下端部Ｑ付近から左右斜め上方に傾斜させた前記傾斜部１４ｂを略矢印状に形成し、中空シール部１５を交差する二つの下地材４，４の間に弾性変形させて進入させて二つの下地材角部に弾接させ、前記腕部１３，１３の先端部を前記二つの下地材内面に弾接させると共に，連結片１４の左右に横設した足部１６，１６を二つの下地材側面に弾接させてなるものである。
【０００７】
図１，図６及び図７において、請求項２の発明は、建物Ｂの交差する二つの外壁５，５における入隅部１に形成される目地２に，シーリング材３を内側から支持するために挿入されるシーリングバックアップ材１０を配置した目地構造であって、前記シーリング材１０を受ける幅広の頭部１１の略左右端部のそれぞれから幅狭な胴部１２，１２を垂下設し、前記二つの胴部の略中間高さ部分に左右に腕部１３，１３を横設すると共に左右の腕部１３，１３間に副連結部１７を架設し、前記二つの胴部１２，１２の下端部同士を主連結部１８で架設すると共に，前記二つの胴部１２，１２と主連結部１８とで中空シール部１５を形成し、且つ中空シール部１５の中央下端部を最下点部Ｐとして左右側を斜め上方に傾斜させ略矢印状に形成し、前記中空シール部１５を交差する二つの下地材４，４の間に弾性変形させて進入させて二つの下地材角部に弾接させ、前記腕部１３，１３の先端部を前記二つの下地材内面に弾接させ、而も主連結部１８の左右に連続させて横設した足部１６，１６を二つの下地材側面に弾接させてなるものである。
【発明の効果】
【０００８】
請求項１に記載のシーリングバックアップ材１０は、中空シール部１５を、二つの下地材４の間に弾性変形させて進入させ、腕部１３の先端部を下地材４の内面に弾接させると共に、中空シール部１５を下地材４の角部に弾接させるので、十分な二次止水機能を持たせることができる。すなわち、腕部１３と中空シール部１５の二つの部材でシール性を確保するので、十分な二次止水機能を発揮することができる。
【０００９】
特に、中空シール部１５は潰れた状態に弾性変形させ、しかも、その弾性復元力を下地材４の角部に作用させるので、両者の密着度は強く、従って、優れた二次止水機能を発揮する。
【００１０】
これにより、例えば、シーリング材３が経年劣化によってシール機能を失っても、このシーリングバックアップ材１０の持つ高い二次止水機能によって水漏れを確実に防止し、雨水等が建物Ｂ内に侵入するのを未然に防止することができる。
【００１１】
また、中空シール部１５を弾性変形させて二つの下地材４，４の間に進入させるので、あらゆる幅の目地２に対応することができ、従来のように他種類のものを準備しておく必要がない。従って、生産性にも優れる。
【００１２】
さらに、同一の目地において、その目地巾にバラツキが生じても、中空シール部１５がそれに併せて自在に弾性変形するので、二次止水機能を良好に維持することができる。
【００１３】
また、シーリングバックアップ材１０の、連結片１４を左右斜め上方に傾斜させ、略矢印状に形成したので、当該シーリングバックアップ材１０を二つの下地材４，４間に挿入する際の摩擦抵抗を小さく抑えることができ、円滑に挿入することができる。
【００１４】
更に、シーリングバックアップ材１０の、腕部１３と中空シール部１５のほかに、足部１６を下地材４の側面に弾接させており、三つの部材でシール性を確保するので、二次止水機能をさらに高めることができる。
【００１５】
請求項２に記載のシーリングバックアップ材を配置した目地構造は、請求項１に記載の発明と同様に、優れた二次止水機能を発揮すると共に、高い生産性を発揮し、さらに、目地巾のバラツキに正確に対応することができる。
【００１６】
また、シーリングバックアップ材１０の、連結片１４を左右を斜め上方に傾斜させ、略矢印状に形成したので、当該シーリングバックアップ材１０を二つの下地材４，４間に挿入する際の摩擦抵抗を小さく抑えることができ、円滑に挿入することができる。
【００１７】
更に、シーリングバックアップ材１０の、左右の腕部１３，１３間に副連結部１７を架設したので、腕部１３の下地材４に対する弾接力を高めることが出来る。
【００１８】
更にまた、シーリングバックアップ材１０の、腕部１３と中空シール部１５のほかに、足部１６を下地材４の側面に弾接させており、三つの部材でシール性を確保するので、二次止水機能をさらに高めることができる。
【発明を実施するための最良の形態】
【００１９】
本発明に係るシーリングバックアップ材１０の第一実施形態を、図１、図４および図５に示す。これは、住宅の外壁５における入隅部１に形成される目地２に、湿式のシーリング材３を内側から支持するために挿入されるシーリングバックアップ材１０である。その構成として、シーリング材３を受ける幅広の頭部１１の中心部から幅狭な胴部１２を垂下設し、胴部１２のほぼ中間高さ部分から左右方向に腕部１３を横設している。
【００２０】
また、各腕部１３のほぼ中間部分から、胴部１２の下端部にわたって連結片１４を架設して、胴部１２と腕部１３と連結片１４とで中空シール部１５を形成している。なお、本実施形態における連結片１４は、腕部１３から真下方向に延びる垂直部１４ａと、当該垂直部１４ａの下端から胴部１２の下端部に向かって斜めに傾斜した傾斜部１４ｂとで形成し、これにより十分に大きな中空部を形成し、下地材４との強い弾接力を確保している。
【００２１】
また、これにより、中空シール部１５の下端部を、その中心部を最下点部Ｐと、また連結片１４に連続して左右外側方向に足部１６を横設している。そして、腕部１３と中空シール部と足部１６の三つの部材によってシール性を確保しているので、さらに高い二次止水機能を発揮することができるといった特徴を有する。
【００２２】
本発明に係るシーリングバックアップ材１０の第二実施形態を、図１、図６および図７に示す。これも、住宅の外壁５における入隅部１に形成される目地２に、シーリング材３を内側から支持するために挿入されるものである。その構成は、シーリング材３を受ける幅広の頭部１１のほぼ左右端部のそれぞれから幅狭な胴部１２を垂下設し、二つの胴部１２のほぼ中間高さ部分に副連結部１７を左右に架設すると共に、その副連結部１７に連続して左右外側方向に腕部１３を横設している。また、二つの胴部１２の下端部同士を主連結部１８で架設すると共に、その主連結部１８に連続して左右外側方向に足部１６を横設し、二つの胴部１２と副連結部１７と主連結部１８とで中空シール部１５を形成している。
【００２３】
そして、中空シール部１５を、二つの下地材４の間に弾性変形させて侵入させ、腕部１３の先端部を下地材４の内面に弾接させ、中空シール部１５を下地材４の角部に弾接させ、さらに、足部１６を下地材４の側面に弾接させている。
【００２４】
このシーリングバックアップ材１０は、第一実施形態におけるものと同様に優れた二次止水機能と生産性を発揮する。特に、腕部１３と中空シール部１５と足部１６の三つの部材によってシール性を確保しているので、さらに高い二次止水機能を発揮することができるといった特徴を有する。
【００２５】
また、このシーリングバックアップ材１０においても、主連結部１８を、その中心部が最下点部Ｐとなるように曲折し、その左右側を斜め上方に傾斜させた略矢印状の形状としている。これにより、当該シーリングバックアップ材１０を二つの下地材４の間に挿入する際の摩擦抵抗を抑えることができ、当該部分への挿入を容易なものとしている。
【００２６】
なお、本発明におけるシーリングバックアップ材１０は、湿式のシーリング材３のみならず、乾式のシーリング材３を支持するためにも使用することができる。
【００２７】
本発明のシーリングバックアップ材は、胴部をショアＤ硬度３５度〜５３度  の硬質材で形成し、それ以外の部分をデュロＡ硬度６５度〜７０度の軟質材で形成している。これにより、目地への挿入作業性を高めると共に、良好な止水機能を確保している。シーリングバックアップ材の成形材料は特には限定されないが、熱可塑性オレフィン樹脂（ＴＰＯ）が好ましい。
【図面の簡単な説明】
【００２８】
【図１】入隅部を有する建物を示す概略斜視図である。
【図２】従来例に係るシーリングバックアップ材を示す縦断面図である。
【図３】図２に示すシーリングバックアップ材を目地に挿入した状態を示す断面図である。
【図４】本発明に係るシーリングバックアップ材の第一実施形態を示す縦断面図である。
【図５】図４に示すシーリングバックアップ材を目地に挿入した状態を示す断面図である。
【図６】本発明に係るシーリングバックアップ材の第二実施形態を示す縦断面図である。
【図７】図６に示すシーリングバックアップ材を目地に挿入した状態を示す断面図である。
【符号の説明】
【００２９】
１        入隅部
２        目地
３        シーリング材
４        下地材
４ａ      側面
４ｂ      角部
４ｃ      内面
５        外壁
１０      シーリングバックアップ材
１１      頭部
１２      胴部
１３      腕部
１４      連結片
１４ａ    垂直部
１４ｂ    傾斜部
１５      中空シール部
１６      足部
１７      副連結部
１８      主連結部
２０      シーリングバックアップ材
Ｂ        建物
Ｐ        最下点部
Ｑ        下端部
【図１】
0004549883.tif 000002
【図２】
0004549883.tif 000003
【図３】
0004549883.tif 000004
【図４】
0004549883.tif 000005
【図５】
0004549883.tif 000006
【図６】
0004549883.tif 000007
【図７】
0004549883.tif 000008